(57)【要約】【課題】無線通信システムにおいて、アクセス端末をページングするための装置および関連方法を提供すること。【解決手段】第一のページングチャネル上に第一のページメッセージを選択的に生成するアクセスネットワーク用の装置であって、該装置は、該第一のページメッセージを複数のページ表示でポピュレートするように構成されたページ表示ポピュレータと、ハッシュ値の選択された数を生成するように構成されたハッシャであって、各ハッシュ値は、該ページ表示ポピュレータが、どこに該第一のページメッセージを１つのページ表示でポピュレートするかの決定要因である、ハッシャとを備える、装置。【選択図】図１
2008054311.tif 000002
【特許請求の範囲】
【請求項１】
第一のページングチャネル上に第一のページメッセージを選択的に生成するアクセスネットワーク用の装置であって、該装置は、
該第一のページメッセージを複数のページ表示でポピュレートするように構成されたページ表示ポピュレータと、
ハッシュ値の選択された数を生成するように構成されたハッシャであって、各ハッシュ値は、ページ表示器が、どこに該第一のページメッセージを１つのページ表示でポピュレートするかの決定要因である、ハッシャと
を備える、装置。
【請求項２】
ハッシュ値の前記選択された数は、ページ表示の該選択された数と少なくとも同じ大きさである、請求項１に記載の装置。
【請求項３】
ページ表示の前記選択された数は、ハッシュ値の該選択された数と少なくとも同じ大きさである、請求項１に記載の装置。
【請求項４】
前記第一のページメッセージは、複数のページ表示ロケーションを含むようにフォーマットされ、
前記ハッシャによって生成された各ハッシュ値は、どのページ表示ロケーションで、前記ページ表示ポピュレータが前記第一のページメッセージをポピュレートするかに決定要因である、請求項１に記載の装置。
【請求項５】
前記ハッシャによって生成された前記ハッシュ値は、前記第一のページメッセージの前記複数のページ表示ロケーションと、数について対応する値の範囲内である、請求項４に記載の装置。
【請求項６】
前記ハッシャによって生成されたハッシュ値の前記選択された数は、複数のハッシュ値を備え、
該ハッシュ値は、前記ページ表示ロケーションの前記数の値の前記範囲にわたって、実質的に均一に分布される、請求項５に記載の装置。
【請求項７】
前記第一のページメッセージは、第一の複数のページ指示ロケーションの第一のグループと、第二の複数のページ表示ロケーションの少なくとも第二のグループとを含むようにフォーマットされ、
ページ表示の前記選択された数は、第一のページ表示と、少なくとも第二のページ表示とを含む、請求項４に記載の装置。
【請求項８】
前記ハッシャは、第一のハッシュ値と少なくとも第二のハッシュ値を生成し、
該第一のハッシュ値は、ページ表示器ポピュレータに、前記第一のページ表示で、前記第一のグループのページ表示ロケーションをポピュレートさせ、
該第二のハッシュ値は、該ページ表示器ポピュレータに、該第二のページ表示で、前記第二のグループのページ表示ロケーションをポピュレートさせる、請求項７に記載の装置。
【請求項９】
前記ハッシャは、入力数に対して、ハッシュ機能を実行するように構成され、
該ハッシャによって生成される各ハッシュ値は、該入力数に対して、該ハッシュ機能を実行することによって提供される、請求項１に記載の装置。
【請求項１０】
前記ハッシャは、前記入力数の第一の組み合わせに対して、前記ハッシュ機能を実行することによって、前記第一のハッシュ値を生成し、該入力数の第二の組み合わせに対して、該ハッシュ機能を実行することによって、前記第二のハッシュ値を生成する、請求項９に記載の装置。
【請求項１１】
前記ハッシャが前記ハッシュ機能を実行する前記入力数は、擬似乱数を備える、請求項９に記載の装置。
【請求項１２】
前記ハッシャによって生成されたハッシュ値は、時間に依存する、請求項１に記載の装置。
【請求項１３】
前記ハッシャによって生成された前記ハッシュ値のそれぞれは、非類似な値である、請求項１に記載の装置。
【請求項１４】
前記ハッシャは、以前に選択された複数のハッシュ値を識別するように構成された識別子をさらに備え、
該ハッシャは、以前に選択された１つのハッシュ値に引き続き、ハッシュ値を生成することを禁止する、請求項１３に記載の装置。
【請求項１５】
前記ハッシャによって生成されたハッシュ値の前記選択された数は、ハッシュの設定数を備える、請求項１に記載の装置。
【請求項１６】
第一のページングチャネル上で第一のページメッセージを選択的に受信するアクセス端末用の装置であって、該装置は、
ハッシュ値の選択された数を生成するように構成されたハッシャと、
該第一のページメッセージをポピュレートするページ表示の値を検出するように構成されたページ表示検出器であって、該ハッシャによって生成されたハッシュ値は、該ページ表示の該値を検出するために、該ページ表示検出器が、該第一のページメッセージの場所を識別するために使用される、ページ表示検出器と
を備える、装置。
【請求項１７】
前記ハッシャによって生成されたハッシュ値の前記選択された数は、固定数を備える、請求項１６に記載の装置。
【請求項１８】
前記ハッシャによって生成されたハッシュ値の前記選択された数は、信号伝達メッセージから得られる、請求項１６に記載の装置。
【請求項１９】
アクセスネットワークにおいて、ハッシュ値の選択された数を生成する動作と、
第一のページメッセージをページ表示の選択された数でポピュレートする動作であって、該第一のページメッセージのロケーションは、該生成する動作の間に生成された該ハッシュ値によって決定された該ページ表示でポピュレートされる、動作と、
該第一のページメッセージをページ表示の該選択された数でポピュレートすることに引き続き、該第一のページメッセージを送信する動作と
を包含する、ページングするための方法。
【請求項２０】
アクセス端末に前記第一のページメッセージの全てを送達することに引き続き、該アクセス端末で、該第一のページメッセージを検出する動作をさらに包含する、請求項１９に記載の方法。
【請求項２１】
前記アクセス端末で、ハッシュ値の前記選択された数を生成する動作をさらに包含する、請求項２０に記載の方法。
【請求項２２】
前記アクセス端末で、ハッシュ値の前記選択された数を生成する前記動作の間に生成された該ハッシュ値によって識別される前記第一のページメッセージの中のロケーションに、ページ表示の値を決定する動作をさらに包含する、請求項２１に記載の方法。
【請求項２３】
前記アクセスネットワークで生成する動作の間、および前記アクセス端末で生成する動作との間に、生成された前記ハッシュ値は、同じ方法で実行される、請求項２１に記載の方法。
【請求項２４】
前記第一のページメッセージの中にポピュレートされる前記ページ表示は、第二のページメッセージの生成に従って、該第一のページメッセージの中にポピュレートされる、請求項２２に記載の方法。
【発明の詳細な説明】
【技術分野】
【０００１】
本発明は、一般的に、無線通信システムのアクセス端末にページングして、そのアクセス端末に、保留中のコールまたは他の通信があることを警告する方法に関する。より具体的には、本発明は、例示的なセルラ通信システムで規定されるＱＰＣＨ（クイックページングチャネル）のようなページングチャネルを受けて、クイックページメッセージの生成、送信、および解析を提供する装置、および関連方法に関する。ページメッセージは、アクセス端末の誤ったウェークアップ（ｆａｌｓｅ  ｗａｋｅ  ｕｐ）が発生する可能性を低減するような方法で形成される。アクセス端末の誤ったウェークアップの結果として、電池が過度に枯渇することは、避けられる。
【背景技術】
【０００２】
（発明の背景）
通信技術の進歩は、新たなタイプの通信システムと通信サービスとの開発および展開を可能にしてきた。セルラ電話と、これを介して利用可能な関連通信サービスは、多くの人々によって、一般に利用され、典型的には、ユーザに通信移動性を提供し、また、有線通信システムの使用が実用的でない、あるいは可能でないときにも、通信能力を提供する。
【０００３】
初期の世代のセルラ通信システムは、音声通信を主として提供し、限られたデータ通信サービスのみしか提供されなかったが、より新しい世代のシステムは、様々なデータ通信速度で、高速のデータ通信サービスをますます提供している。ＥＶ−ＤＯサービスを提供するセルラ通信システムのＣＤＭＡ２０００は、高速データサービスを提供する例示的なタイプの新世代セルラ通信システムである。通信を規定する動作の詳細およびプロトコル、ならびにシステムのデバイスの動作要求は、動作標準仕様に述べられている。ＣＤＭＡ２０００  ＥＶ−ＤＯ通信スキームの動作の様々な局面は、標準化されたままに留まり、既存の標準仕様における特定の部分は、改正が考慮される。様々な後続の世代の通信スキームもまた、標準化が進行中であり、さらにその他にも標準化されるべきことが企図されている。
【０００４】
例えば、標準仕様に対する改定は、アクセスネットワーク（ＡＮ）によってアクセス端末ページをアクセス端末（ＡＴ）に放送することによって利用可能なクイックページングチャネル（ＱＰＣＨ）を規定するＣＤＭＡ２０００  ＥＶ−ＤＯ仕様標準のリリースＢである。ＱＰＣＨは、業界コントリビューション３ＧＰＰ２  Ｃ２０−２００６０３２３−０１３Ｒ１および３ＧＰＰ２  Ｃ２０−２００６０３２３−００３Ｒ１で採択され、これは、３ＧＰＰ２  ｄｏｃｕｍｅｎｔ  Ｃ．Ｓ００２４−Ｂ  Ｖ１．０に公開されている。一般的に、ページは、アクセスネットワークによって、アクセス端末に放送され、そのアクセス端末に、保留中の通信があることを警告する。そして、このようにアクセス端末に警告することによって、そのアクセス端末は、通信の実施を可能にするためアクションを実行する。クイックページングチャネル上のページ表示放送は、アクセス端末の電池の電池消費を減らすことによって、アクセス端末の電池消費削減を容易にする方法で放送される。より長い電池寿命が提供されると、アクセス端末の電池が充電されなければならない速度は低下する。その結果、アクセス端末は、充電と充電との間、あるいは電池交換と電池交換との間に、より長い期間にわたって、動作可能となる。前述の公布は、アクセス端末によってモニタされる物理論理層上のページ表示を含むメッセージの放送を提供する。アクセス端末は、制御チャネルをモニタする前に、ＱＰＣＨをモニタして、ページメッセージのような通常の制御チャネルＭＡＣ（媒体アクセス制御）メッセージを受信する。クイックページメッセージは、クイックページ表示器を含むＱＰＣＨ上で、放送される。クイックページメッセージは、クイックページ表示器で、ポピュレートされた幾つかのクイックページ表示器スロットを含む。
【０００５】
動作の間、モバイル局は、セッションシード、すなわち、３２ビットの擬似乱数に基づいて、クイックページメッセージ内のクイックページ表示器ロケーション（すなわち、スロット）にハッシングする。アクセス端末がハッシングするクイックページ表示器スロットのクイックページ表示器が、そのアクセス端末がページングされていないと表示する場合、アクセス端末は、スリープ状態、節電状態に入り、この状態で、アクセス端末は、通常の制御チャネルＭＡＣメッセージを受信するためのレベルで、電力供給されないまま留まる。節電は、制御チャネルＭＡＣメッセージが、長く、複数の制御チャネルフレームまたはカプセルに及ぶ場合に、特に有意義である。
【０００６】
しかしながら、この既存のスキームにおいて、アクセス端末は、誤ったウェークアップの発生に影響を受けやすい。すなわち、アクセス端末は、スリープ状態に入らないが、むしろ、アクセス端末は、活性状態に入り、たとえ、そのアクセス端末に対するメッセージがなくても、通常制御チャネルＭＡＣメッセージを受信するために、通常制御チャネルをモニタする。なぜなら、通信システムは、マルチユーザシステムであるので、ページングされている別のアクセス端末が、同じページ表示スロットにハッシングされるそのページ表示を有する可能性があるからである。システム内でページングされるアクセス端末の数が増加するにつれて、誤ったウェークアップの発生する可能性が、それにともなって高くなる。
【０００７】
誤ったウェークアップの発生を低減する方法が提供され得ると、アクセス端末の電池寿命を改善することが可能になる。
【０００８】
本発明の著しい改善が進展したのは、アクセス端末のアクセスネットワークによるページングに関するこの背景情報に鑑みてのことである。
【発明の開示】
【課題を解決するための手段】
【０００９】
（詳細な説明）
本発明は、したがって、無線通信システムのアクセス端末にページングして、保留中のコールまたは他の通信があることをアクセス端末に警告する装置および関連する方法を有利に提供する。
【００１０】
本発明の一実施形態の動作によって、ＣＤＭＡ２０００  ＥＶ−ＤＯセルラ通信システムで規定されるＱＰＣＨ（クイックページングチャネル）上で生成され、送信されるクイックページメッセージのようなクイックページメッセージを生成し、送信し、解析する方法が、提供される。
【００１１】
このページメッセージは、解析されるとき、アクセス端末が、誤ったウェークアップの発生による影響をより受けにくくするように形成される。誤ったウェークアップの発生する可能性を少なくすることで、誤ったウェークアップの結果として生じる過度の電池枯渇が、より生じにくくなる。
【００１２】
本発明の一局面において、ハッシングは、ＣＤＭＡ２０００  ＥＶ−ＤＯオペレーティング仕様標準で規定されるセッションシードのように同じ入力数、他の擬似乱数、あるいはアクセス端末識別子（ＡＴＩ）のような別の入力数を用いて、アクセスネットワークとアクセス端末との双方で実行される。ハッシングは、アクセスネットワークとアクセス端末とで、同じ方法で、入力数に対して、独立に実行される。複数のハッシュは、例えば、入力数のビットシーケンスにローテーションを施して、異なるハッシュ値を生成することなどによって、異なる方法で、入力数をハッシングすることによって形成される。代替として、異なるハッシュ機能は、異なるハッシュを生成するために使用される。複数のハッシュの形成は、ときどき、本明細書において、マルチハッシングと称される。各ハッシュ機能動作は、アクセスネットワークとアクセス端末とで、同じ方法で実行される。それぞれのエンティティで生成されて、その結果得られるハッシュ値が、同一であるようにするためである。例えば、最初に、ハッシングが、ローテーションを施されない（ｎｏｎ−ｒｏｔａｔｅｄ）形式で、アクセスネットワークとアクセス端末との双方で、入力数に対して実行される。次いで、ビットがビットの第一の数によってローテーションを施された入力数に対して、再び、アクセスネットワークとアクセス端末との双方で、ハッシングが実行される。追加のハッシングが実行される場合、アクセスネットワークおよびアクセス端末の双方は、アクセスネットワークとアクセス端末との双方で同じように、入力数に対してハッシングを実行する。この入力数のビットは、さらにローテーションされる。ビットローテーションはまた、これらのハッシングされた値の相関がなくなるようにする。
【００１３】
本発明のさらなる局面において、ハッシングは、入力数に対して、入力数に対するハッシュ機能、またはアルゴリズムの動作によって実行される。ハッシュ機能は、例えば、時間変動性があるか、あるいは、一部の方法において、ハッシュ機能は、時間依存性のあるハッシュ値を生成する。そして、必要に応じて、複数のハッシュ値が生成される場合、ハッシュ値は、さらに非類似になるようにさせられる。つまり、複数のハッシュ値が生成されるとき、後で生成されるハッシュ値は、先に生成されたハッシュ値のいずれとも異なる値で生成させられる。
【００１４】
本発明の別の局面において、アクセスネットワークは、クイックページメッセージに含まれることになるハッシュの数およびページ表示の数を識別して、特定のアクセス端末をページングする。アクセスネットワークによって、ページングメッセージ内の特定のアクセス端末に放送されるハッシュまたはページ表示の数の表示を含む信号伝達メッセージが生成される。これらのハッシュまたはページ表示は、アクセスネットワークによって、ページングメッセージ内で、特定のアクセス端末に送信される。この信号伝達メッセージから、アクセス端末は、クイックページメッセージ内のアクセス端末に向けられることになるページ表示の数を確認する。この受信された数に応答して、アクセス端末は、ハッシュ値の適切な数を形成するために、入力数に対して、ハッシングを実行する。そして、このようなハッシュ値は、ページメッセージを受信したとき、ページメッセージ内の場所を識別して、ページ表示器の値を検出するためのページメッセージの解析に従って使用される。
【００１５】
本発明の別の局面において、アクセスネットワークによって実行されるハッシュの数と、それに対応して、アクセス端末で実行されるハッシュの数とは、選択可能な数である。その数は、少なくとも一部において、他のアクセス端末でなされることになるページの数に基づいて選択される。そして、より一般的に、ハッシュの数は、通信システムにおける通信活動に応答する。多数のアクセス端末がページングされるとき、アクセス端末ごとのページ表示の数、およびハッシュ値の数は、例えば、小さな値である。そして、逆に、少数のアクセス端末のみがページングされるとき、ページ表示の数、およびハッシュ値の数は、例えば、大きい。一般的に、特定のアクセス端末に対するページメッセージにポピュレートされるハッシュ値の数、およびその結果としてのアクセス端末ごとのページ表示の数（すなわち、通信システムの動作の特定の期間の間に、他のアクセス端末になされる他のページの数）は、通信活動に反比例する。理想的には、ページ表示の数、およびアクセス端末ごとのハッシュ値は、誤ったウェークアップの確率を最小化する方法で選択される。
【００１６】
本発明の別の局面において、ハッシュ値は、ページ表示がポピュレートされるのは、ページメッセージのどこであるかを決定する。アクセスネットワークおよびアクセス端末で実行されるハッシングは、同じ方法で実行される。ページ表示値がポピュレートされるページメッセージのページ表示ロケーションは、アクセス端末で生成される同じハッシュ値であり、アクセス端末は、一度アクセス端末で受信されると、ページメッセージの対応するページ表示ロケーションを検出し、それを解析する。
【００１７】
本発明の別の局面において、ハッシュ値に対応するページ表示ロケーションをポピュレートするページ表示の値のいずれかが、アクセス端末がページングされていないことを表示する場合、そのアクセス端末は、スリープ状態に入る。例えば、アクセス端末が、そのアクセス端末がハッシングする任意のページ表示値を検出する場合、そのアクセス端末がページングされていないと判断し、そのアクセス端末は、スリープ状態に入る。それによって、アクセス端末は、より迅速に、節電スリープモードに入ることが可能になる。逆に、アクセス端末がページングされていることを表示するページ表示ロケーションをポピュレートするページ表示値をそのアクセス端末が識別し、複数のページ表示がクイックページメッセージの中のアクセス端末に放送されることをそのアクセス端末が知る場合、そのアクセス端末は、そのアクセス端末がハッシングする別のページ表示ロケーションの中にある同じページ表示値をモニタする。第一のポジティブな表示が誤った表示である場合、アクセス端末がページングされていると最終的に判断を下す前に、第二または他のページ表示ロケーションをモニタすることは、誤ったウェークアップの発生する可能性を減らす。これによって、アクセス端末は、誤ったウェークアップの表示に応答する通信を受信しても、活性状態に入らない。アクセス端末の電力消費特性が改善され、その結果、より良好な電池寿命を提供する。
【００１８】
したがって、これらの局面および他の局面において、第一のページングチャネル上で第一のページメッセージを選択的に生成するアクセスネットワーク用の装置、および関連方法が提供される。ページ表示ポピュレータは、第一のページメッセージをページ表示の選択された数でポピュレートするように構成される。ハッシャは、ハッシュ値の選択された数を生成するように構成される。各ハッシュ値は、該ページ表示器がどこに該第一のページメッセージをページ表示でポピュレートするかの決定要因となる。
【００１９】
したがって、これらの局面および他の局面において、第一のページングチャネル上で第一のページメッセージを選択的に受信するアクセス端末用のさらなる装置、および関連する方法論が提供される。ハッシャは、ハッシュ値の選択された数を生成するように構成される。そして、ページ表示検出器は、第一のページメッセージをポピュレートするページ表示の値を検出するように構成される。該ハッシャによって生成されたハッシュ値は、ページ表示の値を検出するために、該ページ表示検出器によって、該第一のページメッセージの場所を識別するために使用される。
【００２０】
本発明は、さらに、以下の手段を提供する。
【００２１】
（項目１）
第一のページングチャネル上に第一のページメッセージを選択的に生成するアクセスネットワーク用の装置であって、該装置は、
該第一のページメッセージを複数のページ表示でポピュレートするように構成されたページ表示ポピュレータと、
ハッシュ値の選択された数を生成するように構成されたハッシャであって、各ハッシュ値は、ページ表示器が、どこに該第一のページメッセージを１つのページ表示でポピュレートするかの決定要因である、ハッシャと
を備える、装置。
【００２２】
（項目２）
ハッシュ値の上記選択された数は、ページ表示の該選択された数と少なくとも同じ大きさである、項目１に記載の装置。
【００２３】
（項目３）
ページ表示の上記選択された数は、ハッシュ値の該選択された数と少なくとも同じ大きさである、項目１に記載の装置。
【００２４】
（項目４）
上記第一のページメッセージは、複数のページ表示ロケーションを含むようにフォーマットされ、
上記ハッシャによって生成された各ハッシュ値は、どのページ表示ロケーションで、上記ページ表示ポピュレータが上記第一のページメッセージをポピュレートするかに決定要因である、項目１に記載の装置。
【００２５】
（項目５）
上記ハッシャによって生成された上記ハッシュ値は、上記第一のページメッセージの上記複数のページ表示ロケーションと、数について対応する値の範囲内である、項目４に記載の装置。
【００２６】
（項目６）
上記ハッシャによって生成されたハッシュ値の上記選択された数は、複数のハッシュ値を備え、
該ハッシュ値は、上記ページ表示ロケーションの上記数の値の上記範囲にわたって、実質的に均一に分布される、項目５に記載の装置。
【００２７】
（項目７）
上記第一のページメッセージは、第一の複数のページ指示ロケーションの第一のグループと、第二の複数のページ表示ロケーションの少なくとも第二のグループとを含むようにフォーマットされ、
ページ表示の上記選択された数は、第一のページ表示と、少なくとも第二のページ表示とを含む、項目４に記載の装置。
【００２８】
（項目８）
上記ハッシャは、第一のハッシュ値と少なくとも第二のハッシュ値を生成し、
該第一のハッシュ値は、ページ表示器ポピュレータに、上記第一のページ表示で、上記第一のグループのページ表示ロケーションをポピュレートさせ、
該第二のハッシュ値は、該ページ表示器ポピュレータに、該第二のページ表示で、上記第二のグループのページ表示ロケーションをポピュレートさせる、項目７に記載の装置。
【００２９】
（項目９）
上記ハッシャは、入力数に対して、ハッシュ機能を実行するように構成され、
該ハッシャによって生成される各ハッシュ値は、該入力数に対して、該ハッシュ機能を実行することによって提供される、項目１に記載の装置。
【００３０】
（項目１０）
上記ハッシャは、上記入力数の第一の組み合わせに対して、上記ハッシュ機能を実行することによって、上記第一のハッシュ値を生成し、該入力数の第二の組み合わせに対して、該ハッシュ機能を実行することによって、上記第二のハッシュ値を生成する、項目９に記載の装置。
【００３１】
（項目１１）
上記ハッシャが上記ハッシュ機能を実行する上記入力数は、擬似乱数を備える、項目９に記載の装置。
【００３２】
（項目１２）
上記ハッシャによって生成されたハッシュ値は、時間に依存する、項目１に記載の装置。
【００３３】
（項目１３）
上記ハッシャによって生成された上記ハッシュ値のそれぞれは、非類似な値である、項目１に記載の装置。
【００３４】
（項目１４）
上記ハッシャは、以前に選択された複数のハッシュ値を識別するように構成された識別子をさらに備え、
該ハッシャは、以前に選択された１つのハッシュ値に引き続き、ハッシュ値を生成することを禁止する、項目１３に記載の装置。
【００３５】
（項目１５）
上記ハッシャによって生成されたハッシュ値の上記選択された数は、ハッシュの設定数を備える、項目１に記載の装置。
【００３６】
（項目１６）
第一のページングチャネル上で第一のページメッセージを選択的に受信するアクセス端末用の装置であって、該装置は、
ハッシュ値の選択された数を生成するように構成されたハッシャと、
該第一のページメッセージをポピュレートするページ表示の値を検出するように構成されたページ表示検出器であって、該ハッシャによって生成されたハッシュ値は、該ページ表示の該値を検出するために、該ページ表示検出器が、該第一のページメッセージの場所を識別するために使用される、ページ表示検出器と
を備える、装置。
【００３７】
（項目１７）
上記ハッシャによって生成されたハッシュ値の上記選択された数は、固定数を備える、項目１６に記載の装置。
【００３８】
（項目１８）
上記ハッシャによって生成されたハッシュ値の上記選択された数は、信号伝達メッセージから得られる、項目１６に記載の装置。
【００３９】
（項目１９）
アクセスネットワークにおいて、ハッシュ値の選択された数を生成する動作と、
第一のページメッセージをページ表示の選択された数でポピュレートする動作であって、該第一のページメッセージのロケーションは、該生成する動作の間に生成された該ハッシュ値によって決定された該ページ表示でポピュレートされる、動作と、
該第一のページメッセージをページ表示の該選択された数でポピュレートすることに引き続き、該第一のページメッセージを送信する動作と
を包含する、ページングするための方法。
【００４０】
（項目２０）
アクセス端末に上記第一のページメッセージの全てを送達することに引き続き、該アクセス端末で、該第一のページメッセージを検出する動作をさらに包含する、項目１９に記載の方法。
【００４１】
（項目２１）
上記アクセス端末で、ハッシュ値の上記選択された数を生成する動作をさらに包含する、項目２０に記載の方法。
【００４２】
（項目２２）
上記アクセス端末で、ハッシュ値の上記選択された数を生成する上記動作の間に生成された該ハッシュ値によって識別される上記第一のページメッセージの中のロケーションに、ページ表示の値を決定する動作をさらに包含する、項目２１に記載の方法。
【００４３】
（項目２３）
上記アクセスネットワークで生成する動作の間、および上記アクセス端末で生成する動作との間に、生成された上記ハッシュ値は、同じ方法で実行される、項目２１に記載の方法。
【００４４】
（項目２４）
上記第一のページメッセージの中にポピュレートされる上記ページ表示は、第二のページメッセージの生成に従って、該第一のページメッセージの中にポピュレートされる、項目２２に記載の方法。
【００４５】
（摘要）
無線通信システムにおいて、アクセス端末をページングする装置、および関連方法。メッセージ生成器は、ページ表示ロケーションから形成されたクイックページングメッセージを生成する。ページ表示値は、メッセージの選択されたページ表示ロケーションの中に、ポピュレートされる。ハッシュ生成器は、ページ表示値を用いてポピュレートされるページ表示ロケーションの決定要因となるハッシュ値を生成する。
【発明を実施するための最良の形態】
【００４６】
それゆえ、最初に、図１を参照すると、１０で全体的に示される無線通信システムは、アクセス端末１２が例示的であるアクセス端末との通信を提供する。通信システムは、マルチユーザ通信システムを形成し、このシステムは、典型的に、多数のアクセス端末および複数の同時に流れる通信ダイアローグを含む。単一のアクセス端末のみが図１に示されているが、アクセス端末１２に類似する追加のアクセス端末が、典型的に、通信システムの一部分を形成する。
【００４７】
通信は、アクセス端末と無線ネットワーク１４との間で実行される。この無線ネットワーク１４は、基地トランシーバ局（ＢＴＳ）１６および基地局コントローラ（ＢＳＣ）１８のような固定ネットワークのインフラエレメントから形成される。アクセスネットワークは、そのアクセスネットワークとの通信が可能である地理的エリアを包囲する。すなわち、アクセス端末がアクセスネットワークによって包囲されるエリア内に置かれるとき、そのアクセス端末は、一般的に、そのアクセスネットワークと通信することができ、そのアクセスネットワークは、典型的に、そのアクセス端末と通信することができる。
【００４８】
通信システムは、適切な通信仕様標準のオペレーティングプロトコルおよびパラメータに、概ね従って、動作可能である。本明細書で述べられる説明は、例示的なものであり、本発明の様々な実施形態の教示は、様々なタイプの通信システムの任意のものにインプリメント可能である。
【００４９】
上述のように、ネットワークで開始された通信がアクセス端末で終端となるとき、そのアクセス端末は、ページメッセージの放送によって警告される。クイックページングチャネル（ＱＰＣＨ）、または類似のチャネルが、規定される。クイックページメッセージをポピュレートするクイックページ表示は、アクセス端末がページングされているかどうかを識別する値からなる。しかしながら、これもまた上述のように、特に、使用量の多い（ｈｅａｖｙ  ｕｓａｇｅ）間に、アクセス端末の誤ったウェークアップが発生し得る。これは、一つのアクセス端末に意図されたメッセージ内のクイックページ表示が、複数のアクセス端末のうちの別の一つのアクセス端末によってもまた使用されるスロット内で、放送されることによる。誤ったウェークアップは、アクセス端末が節電スリープモードに入るのを妨害する。
【００５０】
それゆえ、本発明の実施形態に従うと、アクセスネットワークは、装置２４を含み、アクセス端末は、装置２６を含み、これらの装置は、誤ったウェークアップの発生する可能性を低下させるように動作する。装置２４および装置２６のエレメントは、機能的に表わされ、任意の所望の方法で、例えば、処理回路網によって実行可能なアルゴリズムによって、インプリメント可能である。
【００５１】
装置２４を形成するエレメントは、アクセスネットワーク１４の任意の適切なロケーションにインプリメントされ、図示されるように、ＢＴＳ１６およびＢＳＣ１８でインプリメントされるか、あるいは、このようなエンティティおよび他のエンティティの中に分散されることを含む。
【００５２】
ここで、装置２４は、アクセス端末決定器３２ごとのハッシュ／ページ表示の量を含む。決定器は、入力インディシアとして、ライン３４上のネットワーク活動の表示を受け取るように結合される。ネットワーク活動は、例えば、ページ値の数として、定量化される。そのネットワークは、例えば、ページングされるアクセス端末の数に気付く。あるいは、ページ値の数は、例えば、予期されるページの数、今までのページの平均数、または他のページング量のインディシアを備える。ネットワーク活動の表示に応答して、決定器は、生成されることになるハッシュの数と、クイックページングメッセージ内にアクセス端末のページングに従って提供されることになるページ指示の数とを決定する。代替的なインプリメンテーションにおいて、ハッシュ値の数は、例えば、１より大きな固定数である設定された数である。固定数２は、例えば、クイックページメッセージ内のページ表示ロケーションの数が、約１８０であるとき、良好に機能するように見える。ハッシュ値の数とページ表示の数とは対応する。決定された量の表示は、信号伝達メッセージ生成器およびハッシュ生成器、「ハッシャ（ｈａｓｈｅｒ）」３８に提供される。
【００５３】
アクセスネットワークとアクセス端末との双方に知られる数（例えば、セッションシード、または他の擬似乱数、あるいはアクセス端末識別子（ＡＴＩ）のような数）が、ここではライン４２によって表わされるように、ハッシュ生成器に提供される。ハッシュ生成器は、数をハッシングする。すなわち、ハッシュ機能は、数に対して実行され、ハッシュ値を生成する。異なるハッシュ値が、例えば、ハッシュ生成器に提供される数にローテーションを施して、ハッシュ機能またはアルゴリズムをその数に対して実行することによって、提供される。複数のハッシュ値が、例えば、数に複数回ローテーションを施す動作によって生成される。理想的なハッシュ機能を用いると、全ての値は、等しいように生成される。例示的なハッシュ機能は、数学的な「モジュロ（ｍｏｄｕｌｏ）」操作を備える。システムクロック時間のように、アクセスネットワークとアクセス端末との双方に知られる時間ファクタは、一つの実施形態において、ハッシュ生成器にさらに提供され、そのハッシュ生成器によって、ハッシュ値の形成に使用される。このようなファクタは、図１のライン４３によって示される。
【００５４】
決定器３２によって決定された値が提供される信号伝達メッセージ生成器３６は、決定器によって決定される量を識別する信号伝達メッセージを生成し（ここではライン４５上に生成される）。信号伝達メッセージは、アクセス端末１２に放送され、これによって、決定された量をアクセス端末に警告する。信号伝達メッセージ生成器は、ＱＰＣＨ生成器と関連して動作し得、ＱＰＣＨメッセージにその量を含み得る。ハッシュ生成器３８によって生成されたハッシュ値は、ページ表示ポピュレータ４８に提供される。ページ表示ポピュレータ４８はまた、ネットワーク通信リクエストも提供され、ここでは、ライン５２によって提供される。ページ表示ポピュレータは、そのアクセス端末がページングされることになるかどうかに依存して、ページ表示値を選択する。例えば、アクセス端末がページングされることになるとき、そのページ表示値は、論理値「１」である。一つのインプリメンテーションにおいて、全ての値が、初期に論理値「０」であり、次いで、適切なように設定される。ページ表示値とそれらの関連するページ表示ロケーションは、ハッシュ生成器３８によって生成されたハッシュ値によって規定され、ＱＰＣＨ、または他に、メッセージ生成器５４に提供される。メッセージ生成器は、複数のページ表示ロケーションを含むページメッセージを形成する。ページ表示ポピュレータは、ページ表示値を用いて、メッセージの選択されたページの表示ロケーションをポピュレートする。ページ表示値を用いて、ポピュレートされた表示ロケーションは、ハッシュ生成器３８によって生成されたハッシュ値によって決定される。このような方法で、ページ表示は、他のアクセス端末に対して形成され、ハッシュ値は、ページメッセージ内のどこに、他のアクセス端末に対して意図されるページ表示が、メッセージ生成器５４によって生成されたメッセージ内にポピュレートされるかを規定するように生成される。その結果得られるメッセージが、アクセスネットワークによって放送されるとき、アクセス端末１２のようなアクセス端末は、そのアクセス端末がページングされることになっているかどうかの表示を提供される。
【００５５】
基地トランシーバ局１６のトランシーバエレメントは、無線インターフェース上で、装置２４のメッセージ生成器５４によって生成されたメッセージの放送をし、このことは、矢印６２によって図１に示されている。メッセージは、アクセス端末１２と、その放送メッセージの受信範囲内にある他のアクセス端末とに配信される。アクセス端末１２は、ここで、受信部６４および送信部６６によって表わされるトランシーバ回路網を含む。受信部６４は、この受信部に送信される信号（例えば、アクセスネットワークの装置２４によって生成されたメッセージ）を受信するように動作する。そして、検出された信号のうちの特定の信号が、装置２６に提供される。ここで、重要なのは、アクセスネットワークの信号伝達メッセージ生成器によって生成された信号伝達メッセージの検出と、メッセージ生成器５４によって生成されたページメッセージの検出とである。
【００５６】
表示は、信号伝達メッセージ検出器・解析器６８に提供される。検出器・解析器は、信号伝達メッセージのコンテンツを検出し、検出されたメッセージを解析し、メッセージ内に表示されるアクセス端末当たりのハッシュの数またはページ表示を確認するように動作する。表示は、ここではライン７２によって、ハッシュ生成器７４に提供される。ハッシュ生成器は、また、入力数の値を提供される。入力数は、ここで、アクセスネットワークとアクセス端末との双方によって知られ、ここでは、ライン７６によって提供されるように示される。アクセスネットワークとアクセス端末との双方によって知られる時間ファクタもまた、生成器７４に提供され、ここではライン７７によって示される。ハッシュ生成器は、アクセスネットワークのハッシュ生成器３８の動作に類似した方法で動作し、入力数に対して、ハッシュ機能を実行する。そして、そのハッシュ生成器に提供された入力数は、ライン４２上のハッシュ生成器３８に提供される入力数に対応する。ハッシュ生成器によって生成されたハッシュ値の数は、検出器・解析器６８によって識別される数に対応する。ハッシュ生成器によって生成されるハッシュ値は、ＱＰＣＨ（クイックページングチャネル）に、あるいは他に、ページメッセージ検出器８２に提供される。ハッシュ生成器によって生成されたハッシュ値は、ページメッセージ検出器によってモニタされるべきページ表示ロケーションがどれであるかを識別し、ページがアクセス端末に放送されるかどうかを判断する。アクセスネットワークによって放送され、アクセス端末によって検出され、アクセス端末上で動作されるメッセージは、アトミック（ａｔｏｍｉｃ）なメッセージである。すなわち、ビットの全ては、単一のメッセージ内で受信される。検出器によってなされた検出に応答して、表示がアクセス端末（ＡＴ）状態コントローラ８４に提供され、アクセス端末が置かれている状態を制御する。そして、ＱＰＣＨメッセージが、アクセス端末がページングされていることを表示するとき、そのアクセス端末は、そのアクセス端末上の第二のページの放送するために、第二のページチャネルをモニタし始める。アクセス端末の受信部もまた、第二のページチャネルをモニタする。メッセージ生成器５４によって生成されたメッセージ内のページ表示は、それゆえ、第二のページチャネル上の第二のページメッセージの送信に従って、つまり、促進するために送信される。
【００５７】
メッセージ検出器によってモニタされる第一のクイックページ表示スロットが、アクセス端末に放送されるページメッセージがないことを示す場合、状態コントローラは、そのアクセス端末をスリープモードに置く。検出器によってモニタされるクイックページ表示スロットの第一のスロットは、ページが放送されていることを表示するが、検出器によってモニタされるクイックページ表示スロットの第二のスロットは、ページを有していないことを表示する場合、状態コントローラはまた、そのアクセス端末を低電力スリープモードに入れる。スロットが３つ以上ある場合、追加のページ表示が、同様にモニタされる。１つ以上の追加クイックページ表示がモニタされ、ページがアクセス端末に送信されたかどうかのさらなる指示を提供すると、誤ったウェークアップの発生は、低減される。
【００５８】
図２は、図１に示される通信システム１０において、例示的な動作に従う、誤ったウェークアップの発生とページの数との間の関係を示すグラフ図を示し、全体的に１０２で示される。プロット１０４は、マルチユーザ通信スキームにおけるアクセス端末に対するページの数と、誤ったウェークアップの発生との間のほぼ比例的な関係を示しており、確率の観点から表わされている。プロット１０４−１、１０４−２、１０４−３、および１０４−４の４つのプロットが示される。プロット１０４−１は、単一のページ表示が、ページメッセージ内で、特定のアクセス端末に提供され、そのアクセス端末にページを警告するために、提供されるときの関係を表現する。単一のハッシュ値が生成され、ページ表示は、その単一のハッシュ値によって決定された単一のページ表示ロケーション内にポピュレートされる。プロット１０４−２は、ページメッセージの中に提供され、特定のアクセス端末に、ページを警告する、２つのページ表示ビットを表現する。２つのハッシュ値が生成され、ページ表示が置かれているページ表示ロケーションは、この２つのハッシュ値によって決定される。プロット１０４−３は、３つのページ表示をページメッセージの中で使用して、特定のアクセス端末に、ページを警告することを表現する。３つのハッシュ値が生成され、これらの値は、ページ表示がポピュレートされる３つのページ表示ロケーションの位置決めの決定要因である。そして、プロット１０４−４は、４つのページ表示が、そのアクセス端末にページングするために、ページメッセージの中で使用されるときの誤ったウェークアップの発生の間の関係を表現する。
【００５９】
プロットを再吟味すると、通信システム（すなわち、ネットワーク活動）におけるページの所与の数に対して、誤ったウェークアップについての最も低い確率を提供するページメッセージ内のページ表示の数は、ページの数とともに変動することが示される。本発明の実施形態の動作に従うと、アクセス端末ごとに使用するページ表示の数の選択におけるこの関係から、メリットが得られる。このような選択は、例えば、図１に示される決定器３２によってなされる。選択は、誤ったウェークアップの確率を最小化するような方法でなされる。ページの数（すなわち、ネットワーク活動）のそれぞれに対して、選択が、クイックページメッセージにおいて、アクセス端末をページングするのに使用されることになるページ表示の数からなされる。例えば、図２に示されるプロット１０４に類似するプロットを用いて、ページの数（すなわち、ネットワーク活動）のそれぞれに対して最も低い曲線が、選択される。解析によれば、ページの数が比較的小さいとき、誤ったウェークアップが起こる確率が最も低いのは、アクセス端末ごとに、より大きな数のページ表示が利用されるときであることが示される。逆に、ページの数（すなわち、ネットワーク活動）がより大きいときは、より小さな数のページ表示が、誤ったウェークアップが起こる最も低い確率を提供する。切り替え（ｃｈａｎｇｅｏｖｅｒ）は、プロットが互いに交差するときの図２の表現に示されるように、様々な閾値で生じる。
【００６０】
アクセスネットワークで、決定および選択が一度なされると、その選択の表示がアクセス端末に提供される。ページ表示の数は、アクセスネットワークとアクセス端末との双方で知られているので、協調した方法で、装置２４および２６が動作することを可能にする。例示的なインプリメンテーションにおいて、クイックページメッセージをポピュレートするページ表示値は、同じメッセージの中で全て受信される。アクセス端末は、別々のビットに対して異なる時間にウェークアップする必要はない。メッセージのビットの全てが、同じメッセージの中で同時に受信されるからである。さらに、同じページ表示器の値は、以前に利用されたように、複数の物理的なグループに分割する代わりに、ハッシングされる。そして、ハッシュ値で規定されるページ表示ロケーションは、ページ表示ロケーションが非類似であるような方法で生成されることがさらに可能である。ハッシュ値の生成に使用される入力数のローテーションにより、これらのハッシュ値には相関がなくなり、また、ハッシュ機能に時間変動を導入すると、ハッシュ値の非類似性が提供される。
【００６１】
図３は、全体的に１０８で示される例示的なクイックページメッセージを示す。このメッセージは、例えば、図１に示される構成に関して、メッセージ生成器５４で生成される。クイックページメッセージは、複数（ここでは３３）のページ表示ロケーション１１２を含み、これらは１〜３３で番号付けされている。当初、各ページ表示ロケーションは、論理値「０」に設定される。４つのアクセス端末１２に対するページ表示は、ＡＴ１、ＡＴ２、ＡＴ３、およびＡＴ４で識別され、メッセージ１０８の中に表わされる。ハッシュ生成器は、アクセス端末ＡＴ１に対して、８および６のハッシュ値を生成する。そして、ページ表示ロケーション８および６は、アクセス端末ＡＴ１がページングされているかどうかを表示するための値でポピュレートされる。ここで、論理値「１」は、ＡＴ１がページングされることを識別するページ表示ロケーション８および６に挿入される。同様に、アクセス端末ＡＴ２に関して、ハッシュ生成器は、７および２１のハッシュ値を生成し、ページ表示は、アクセス端末ＡＴ２がページングされることを識別するページ表示ロケーション７および２１に挿入される。アクセス端末ＡＴ３に対して生成されたハッシュ値２１および１３は、アクセス端末ＡＴ３がページングされていることを識別するページ表示ビットで、ページ表示ロケーション２１および１３がポピュレートされるようにする。そして、アクセス端末ＡＴ４に対して生成されたハッシュ値２５および３は、この場合もまた、アクセス端末ＡＴ４がページングされていることを識別するために、ページ表示ロケーション２５および３が、ページ表示ビットでポピュレートされるようにする。このインプリメンテーションにおいて、メッセージ１０８のページ表示ロケーションのうちの任意のものは、アクセス端末のうちの任意のものと関連したページ表示ビットで、ポピュレートされるように利用可能である。そして、ページ表示ロケーション２１で指示されるように、ページ表示ロケーションは、アクセス端末のうちの２つ以上と関連するページ表示ビットを含み得る。理想的に、ハッシュ生成器は、メッセージ１０８全体にわたってページ表示値が均一に、すなわち、均等に分布することを可能にするハッシュ値を生成する。特定のアクセス端末に対する各ハッシュは、従来の手順とは対照的に、同じページ表示ロケーションにわたってハッシングする。そして、時間ファクタの使用によって、特定のアクセス端末に対して、同様の値のハッシュ値の繰り返し生成と、同じページ表示ロケーションが対応してポピュレートされることの発生が、起こりにくくなる。
【００６２】
図４は、ここでは、全体的に１１６で示される別のメッセージを示す。このメッセージもまた、３３のページ表示ロケーション１１２を含み、これらのロケーションは、ここでもまた、ページアクセス端末ＡＴ１、ＡＴ２、ＡＴ３、およびＡＴ４に、ページ表示値でポピュレートされる。ここで、メッセージは、第一のグループ１１８と第二のグループ１２２との２つのグループに分割される。最初に、ここでもまた、各ページ表示ロケーションは、論理値「０」に設定される。このインプリメンテーションにおいて、１グループ当たり単一のページ表示ロケーションのみが、特定のアクセス端末と関連するページ表示器の値に利用可能である。すなわち、アクセス端末ＡＴ１に関して、第一のグループにおける単一のページ表示ロケーションが利用可能であり、第二のグループにおける単一のページ表示ロケーションが利用可能である。ハッシュ値生成器によって生成されるハッシュ値が第一のグループ内の値であるとき、別のハッシュ値は、第二のグループ内の値であるはずである。理想的には、ハッシュ生成器は、メッセージの各グループにわたるページ表示値の均一な分布を可能にするハッシュ値を生成する。そして、図５の表示に示されるように、ページ表示ロケーションは、第一のグループおよび第二のグループのアクセス端末のそれぞれに対して利用可能である。図５に示される例は、２つのページ表示ビットがアクセス端末ごとのページメッセージ内で利用可能であるインプリメンテーションに対するものである。追加のページ表示ビットが利用可能な場合、ページメッセージは、実質的に等しいサイズの追加の個数のグループに分割され、対応するように、ページ表示ロケーションは、追加の個数のグループのそれぞれに、利用可能にされる。
【００６３】
図５は、ハッシュ生成器が別の実施形態に従って動作するクイックページメッセージ１２６と方法を示す。ここで、４つのページ表示ロケーションが、３３ビットのクイックページメッセージにわたって、アクセス端末ＡＴ１に対して利用可能とされる。そして、ここでもまた、各ページ表示ロケーションは、初期に、論理値「０」に、設定される。ハッシュ値が選択され、そのハッシュ値から決定されたページ表示ロケーション１１２が、使用されるとき、そのページ表示ロケーションは、そのアクセス端末（そのアクセス端末で、メッセージを別のページ表示値を用いてポピュレートする）で、もはや利用可能でない。つまり、ハッシュ値は、そのアクセス端末に対して繰り返され得ない。図５に示される表現において、第一のページ表示値は、ページ表示ロケーション１０の中にポピュレートされる。ここでもまた、理想的には、ハッシュ生成器は、利用可能なページ表示ロケーションの全てにわたって、ページ表示が均一に分布することを可能にするハッシュ値を生成する。以下に述べるように、ページ表示ロケーションが使用されるとき、そのロケーションは、もはや利用可能でなくなる。ページ表示ロケーション１０は、アクセス端末ＡＴ１に対して、もはや利用可能でなくなる。次に生成されたハッシュ値は、１１の値であり、ページ表示ビットは、ページ表示ロケーション１１に挿入される。その後、ページ表示ロケーション１０も１１も利用可能でなくなる。引き続き生成されるハッシュ値の２０は、そのページ表示値が、ページ表示ロケーション２０に挿入されるようにする。そして、その後、ページ表示ロケーション１０、１１、および２０は、もはや利用可能でなくなる。第四番目に生成されるハッシュ値の５が生成されると、ページ表示ロケーション５が、ページ表示値でポピュレートされる。このインプリメンテーションにおいて、時間ファクタの使用は、一般的に要求されない。
【００６４】
図６は、全体的に１３２で示され、第一のチャネル上でページメッセージを選択的に生成する通信システムに対する本発明の実施形態の例示的な動作を表わす方法流れ図を示す。
【００６５】
最初に、そして、ブロック１１４によって示されるように、第一のチャネル上に送信されたページメッセージ内に生成され得るページ表示にハッシュの選択された数を示す信号伝達メッセージが、生成される。次いで、ブロック１１６によって示されるように、ページメッセージは、ハッシュの選択された数に対応するページ表示から形成される。
【００６６】
ブロック１１８によって示されるように、信号伝達メッセージは、第一のチャネル上に送信される。ブロック１２２によって示されるように、信号伝達メッセージは、信号伝達メッセージに含まれるクイックページ表示器スロットに、ハッシュの選択された数とともに、アクセス端末で検出される。そして、ブロック１２４によって示されるように、ページメッセージは、アクセス端末で検出され、そのページメッセージが、ハッシュの選択された数に対応するページ表示を含むかどうかの判断がなされる。
【００６７】
これによって、本発明の実施形態の動作を介して、アクセス端末は、ページがそのアクセス端末に放送されるかどうかの判断をより良好に、より迅速にすることが可能になる。迅速なページメッセージ、つまり、アクセス端末がハッシングするページ表示ロケーションが、アクセス端末がページングされているという表示を含まない場合、アクセス端末は、電力削減モードに入る。誤ったウェークアップの発生は、複数のクイックページング表示スロットをマルチハッシングすることによって、より生じにくくなる。
【００６８】
以上の記述は、本発明をインプリメントするための好ましい実施例についての記述であり、本発明の範囲は、この記述から必ずしも限定されるべきではない。本発明の範囲は、以下の請求項によって規定される。
【図面の簡単な説明】
【００６９】
【図１】図１は、本発明の実施形態が動作可能である無線通信システムの機能的なブロック図を示す。
【図２】図２は、様々な数のハッシュに対するマルチユーザ通信システムにおいて、ページ数の関数として、誤ったウェークアップの発生確率との間の関係をグラフ図に示す。
【図３】図３は、本発明の例示的な実施形態の動作に従って生成される例示的なクイックページメッセージを示す。
【図４】図４は、本発明の別の例示的な実施形態の動作に従って生成される例示的なクイックページメッセージを示す。
【図５】図５は、本発明の別の例示的な実施形態の動作に従う例示的なクイックページメッセージの形成を示す。
【図６】図６は、本発明の実施形態の動作の方法を表わす方法流れ図を示す。
【符号の説明】
【００７０】
１０  無線通信システム
１２  アクセス端末
１４  無線ネットワーク
１６  基地トランシーバ局（ＢＴＳ）
１８  基地局コントローラ（ＢＳＣ）
２４、２６  装置
３２  アクセス端末決定器
３６  信号伝達メッセージ生成器
３８、７４  ハッシュ生成器、ハッシャ
４８  ページ表示ポピュレータ
５４  メッセージ生成器
６４  受信部
６６  送信部
６８  信号伝達メッセージ検出器・解析器
８２  ＱＰＣＨページメッセージ検出器
８４  アクセス端末（ＡＴ）状態コントローラ
【図１】
2008054311.tif 000003
【図２】
2008054311.tif 000004
【図３】
2008054311.tif 000005
【図４】
2008054311.tif 000006
【図５】
2008054311.tif 000007
【図６】
2008054311.tif 000008